(57)【要約】      （修正有）【課題】小動物の歩行や食餌行為を阻害することにより小動物を捕獲したり、弱らせたり、死にいたらしめたりする小動物捕獲具を提供する。【解決手段】捕獲しようとする小動物の身体より小さく、かつその手足よりやや大きめの寸法に設定された第１基板１の板面に、誘引剤５を吹き付けた粘着捕獲剤３を付着させたことにより、粘着剤３の付着面を上にして小動物の通り道（壁面、狭い場所、あるいはパイプ上）に設置すると、第１基板上を歩行した小動物の手足に第１基板が強固に接着する。このように手足に第１基板が接着すると小動物は自由な歩行が阻害され、壁面等を駆け上がることもできなくなって、巣に戻ることが困難になるとともに、食餌行為が阻害されて体力を低下させ、最終的には餓死に至らせることができる。【選択図】図１
2006254891.tif 000002
【特許請求の範囲】
2006254891.tif 000003
【請求項１】
捕獲しようとする小動物の身体より小さく上記小動物の手足よりやや大きめの寸法に設定された第１基板の板面に粘着捕獲剤を付着させ，第２基板の表面に複数の第１基板を取り外し自在に取り付けた小動物捕獲具。
【請求項２】
第１基板、第２基板ともに側面を上方に、断面が平行四辺形になるように角度を変えた請求項１、の小動物捕獲具。
【請求項３】
上記第１基板の表面に植物性油等を吹き付けた請求項１記載の小動物捕獲具。
【発明の詳細な説明】
【技術分野】
【０００１】本発明は、ネズミ等の小動物を高い捕獲率で捕獲しうる小動物捕獲具に関するものである。「背景技術」【０００２】従来から、ネズミ等の小動物を捕獲するために、基板上に粘着層を形成した粘着捕獲具が広く用いられてる。この粘着捕獲具は、対象となる小動物が出没しそうな領域に、粘着層を上向けにした状態で基板を設置し、基板上を歩行する小動物を粘着捕獲するものである。小動物、特に鼠の場合、狭い場所や壁面、パイプ等を通路としている為、従来の粘着捕獲具を使っての捕獲には限界があり、新しい捕獲補助具の必要性が生じていた。「発明が解決しようとする課題」【０００３】上記従来の粘着捕獲具では、小動物の身体より大きな基板を用いて小動物を粘着捕獲することから、設置場所として、床面上向きにのみ設置可能で、小動物より広い面積を必要としていた。又、壁面に小動物捕獲具を設置することが困難であり、粘着剤より発する微量の化学物質の為か小動物の学習によって忌避される傾向にあった。【０００４】本発明の目的とする所は、小動物の肢、特に前肢に第１基板を接着させることにあり、その場で捕獲することにはない。小動物、中でも鼬、鼠は前肢を使って食餌行動をとる為、前肢の自由が奪われた場合、ストレスも重なって容易に餓死すると考えられる．小動物、特に鼠の場合、通路にはラットサインがあり、頻繁に通っている個所、大抵、壁面上、パイプ上に、本発明の小動物捕獲具を設置することにより、前肢に第１基板を接着させることを目的とする。「課題を解決する為の手段」【０００５】本発明は、このような事情に鑑みなされたもので、小動物の手足よりやや大きめの寸法に設定された小動物捕獲具を最小単位としているため、狭い範囲に設置可能であり、又、第２基板の裏面に接着層を設け、かつ第１基板、第２基板ともにやや変形させることによって壁面にも設置可能となる小動物捕獲具の提供を目的とする。又、粘着剤の表面にゴマ油等の植物油を吹きつけることによって忌避効果をなくし、誘引効果を付加したものである。【０００６】上記目的を達成するため、本発明の小動物捕獲具は、捕獲しようとする小動物の身体より小さく上記小動物の手足よりやや大きめの寸法に設定された第１基板の板面に，粘着捕獲剤を付着させ、その表面に誘引物質を吹き付け、壁面にも設置可能になるように第１基板、第２基板ともにやや変形させたことを要旨とする。【０００７】すなわち、本発明の小動物捕獲具は、捕獲しようとする小動物の身体より小さく上記小動物の手足よりやや大きめの寸法に設定された第１基板の板面に粘着捕獲剤を付着させている。このため、本発明の粘着捕獲具を、粘着捕獲剤の付着面を上にして小動物の通り道等に設置すると、第１基板上を歩行した小動物の手足に、小動物の身体より小さい上記小動物の手足よりやや大きめの寸法に設定された、第１基板が強固に接着する。このような、手足に第１基板が接着すると、小動物は自由な歩行が阻害され、壁面等を駆け上がることもできなくなる。したがって、本発明の粘着捕獲具の近傍に従来の大きな基板の粘着捕獲具を仕掛けることにより、歩行能力が阻害された小動物を容易かつ確実に捕獲することが可能となる。しかも、手足に第１基板が接着すると、壁面等を上がれなくなって巣に戻ることが困難になるとともに食餌行為が阻害され、餌を摂れなくなって体力を抵下させ、最終的には餓死に至らせることが可能となる。【０００８】本発明の小動物捕獲具において、第２基板の表面に複数の第１基板を取外し自在に取り付けた場合には、複数の第１基板を取り付けた第２基板を所定の場所に設置するだけで、小動物が第２基板上を歩行したさい高い確率で小動物の手足に第１基板を接着させることができる。【０００９】本発明の小動物捕獲具において、上記第２基板の裏面に接着層が設けられている場合には、第１基板が取り付けられた第２基板を壁面に接着して用いることができる。このようにすることにより、壁面を駆け上がる小動物の手足に第１基板を接着し、壁面から落下させることができる。そして、例えば、落下しうる領域に大きなシート状の粘着捕獲具を仕掛けることにより、落下してきた小動物を確実に粘着捕獲できる。【００１０】上記のように壁面に第２基板を接着する際、振動により第１基板が第２基板から離れて落下する事がかんがえられる。それを防ぐため、壁面に接着する第１基板、第２基板ともに形態を変え、側面を、上方に断面が平行四辺形になるように角度を変えた。【００１１】「発明を実施する為の最良の形態」つぎに、本発明の実施の形態を詳しく説明する。【００１２】図１は、本発明の小動物捕獲具の実施の形態を示す。この小動物捕獲具は、上面に、誘引物質５を吹付けた接着捕獲剤３が付着された第１基板と表面に複数の第１基板が取り外し自在に取り付けられた第２基板とをそなえ、第２基板の裏面には、両面テープ４をそなえている。【００１３】図２は、本発明の小動物捕獲具の実施の第２の形態を示す。上記の小動物捕獲具は壁面に接着させた場合に第１基板が第２基板から離れて落下することが考えられる為、壁面に接着する第１基板、第２基板ともに形態を変え側面を、上方に、断面が平行四辺形になるように角度を変えたものである。【００１４】上記第１基板は、平面視で四角形に形成され、捕獲しようとする小動物の身体より小さく上記小動物の手足より大きめの寸法に設定されている。例えば、ネズミを捕獲する場合、上記第１基板は、縦横が約１０〜２０ｍｍ程度に設定される。【００１５】上記第１基板は、この例では、アクリル、ポリスチレン、ポリエチレン、ＡＢＳ樹脂、フェノール樹脂等の樹脂材料から形成されている。上記第１基板を構成する材質としては、上記各種の樹脂材料に限るものではなく、ある程度の剛性を有するものであれば、金属材料やセラミック材料等、各種の材質を適用することができる。【００１６】上記第１基板に付着させる粘着捕獲剤３として、素練りゴム、ポリβビネン樹脂、トリメチルジヒドロキノンと少量のプロセスオイルよりなる粘着剤や天然ゴムまたはブタジエンスチレンゴムのような弾性ゴム質とテルペン樹脂、メタアクリル酸エステル、石油樹脂よりなる粘着剤のようないわゆるゴム系粘着剤や、アクリル酸ブチル、ルビニルカプロラクタム、メチルメタクリレート等よりなる粘着剤やアクリロニトリル、アクリル酸、アクリル酸ブチル等よりなる粘着剤のような合成樹脂系粘着剤のほか、アスファルト等を主成分として鉱物系粘着剤やトリモチのようなワック���系粘着剤、アラビアゴム、デキストリン等を含む多糖類系粘着剤等を用いることができる。【００１７】上記粘着剤は、一般に、凝集力が大きいほど粘着力が小さくなる傾向を有するが、例えば、天然ゴムを含む粘着組成分に少量の硫黄および加硫促進剤を加えて弾性付与体の一部を架橋した粘着剤やネオプレンゴムのような結晶性の弾性付与体を用いた粘着剤、あるいは長さが数ｍｍから１０数ｍｍの繊維質を混入した粘着剤は、粘着力をあまり低下させないで動的せん断力を大きくすることができるので、好適に用いることができる。【００１８】上記第２基板の裏面には、両面テープ４からなる接着層が形成され、第１基板が取り付けられた第２基板を床面や壁面等に接着固定しうるようになっている。【００１９】上記構成の小動物捕獲具は、例えばつぎのようにして用いることができる。【００２０】すなわち、まず、下面に貼着された両面テープ４の剥離紙（図示せず）を剥離除去して粘着面を露出させる。ついで、上記両面テープ４の粘着面を床面や壁面等の小動物の通り道に設置する。【００２１】そして、第１基板上を歩行した小動物の手足に、粘着捕獲剤３によって第１基板が粘着され、そして、壁面を駆け上る小動物の手足に第１基板を接着して壁面から落下させることができる。このとき、落下しうる領域に大きなシート状の粘着捕獲具を仕掛けることにより、落下してきた小動物を確実に粘着捕獲できる【００２２】このように、上記小動物捕獲具では、粘着捕獲剤の付着面を上にして小動物の通り道等に設置すると、第１基板上を歩行した小動物の手足に、小動物の身体より小さく上記小動物の手足よりやや大きめの寸法に設定された第１基板が強固に接着する。このように、手足に第１基板が接着すると、小動物は自由な歩行が阻害され、壁面等を駆け上ることもできなくなる。したがって、本発明の粘着捕獲具の近傍に従来の大きな基板の粘着捕獲具」を仕掛けることにより、歩行能力が阻害された小動物を容易かつ確実に捕獲することが可能となる。しかも、手足に第１基板が接着すると、壁面等を上れなくなって巣に戻ることが困難になるとともに食餌行為が阻害され、餌を摂れなくなって体力を低下させ、最終的には餓死に至らせることが可能となる。
【図面の簡単な説明】
【図１】本発明の実施の小動物捕獲具を示す図であり、（ａ）は断面図、（ｂ）は平面図、（ｃ）は分解斜視図である。
【図２】本発明の第２形態を示す図であり、壁面に接着させるタイプの小動物捕獲具の断面図である。
【符号の説明】
１、第１基板２、第２基板」３、接着捕獲剤４、接着剤５、誘引物質
【図１】
2006254891.tif 000004
【図２】
2006254891.tif 000005